【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
パーソナルオーディオ装置の少なくとも一部を実装するための集積回路であって、
パーソナルオーディオ装置の少なくとも一部を実装するための集積回路は、リスナに再生するためのソースオーディオ信号と、変換器の音響出力における周囲オーディオ音の影響に対抗するための対雑音信号との両方を含む、出力信号を前記変換器に供給するための出力と、
前記周囲オーディオ音を示す周囲マイクロフォン信号を受信する前記周囲マイクロフォン入力と、
前記変換器の前記出力と、前記変換器における前記周囲オーディオ音を示すエラーマイクロフォン信号とを受信するためのエラーマイクロフォン入力と、
圧縮機を有するフィードバック経路を実装する処理回路であって、前記圧縮機は、フィードバックフィルタと直列の圧縮機応答を含み、前記フィードバックフィルタは、フィルタ応答を含み、前記フィードバック経路は、前記圧縮機応答と前記フィルタ応答との積となるフィードバック応答を含むと共に、前記エラーマイクロフォン信号からフィードバック対雑音信号を生成する、処理回路と、
を備え、
前記圧縮機応答は前記周囲マイクロフォン信号の関数であり、
前記対雑音信号は少なくとも前記フィードバック対雑音信号を含む、集積回路。
【請求項２】
前記フィルタ応答は、前記エラーマイクロフォン信号から非圧縮フィードバック対雑音信号を生成し、
前記圧縮機応答は、非圧縮フィードバック対雑音信号からフィードバック対雑音信号を生成し、前記圧縮器応答は周囲マイクロフォン信号の関数である、請求項１に記載の集積回路。
【請求項３】
前記圧縮器応答は、前記周囲マイクロフォン信号の関数である利得減衰のための少なくとも１つの閾値を備える、請求項２に記載の集積回路。
【請求項４】
利得減衰のための前記少なくとも１つの閾値は、第１の利得減衰が適用される非圧縮フィードバック対雑音信号の第１の閾値マグニチュードと、第２の利得減衰が適用される前記非圧縮フィードバック対雑音信号の第２の閾値マグニチュードとを含み、前記第１の閾値および前記第２の閾値は前記周囲マイクロフォン信号の関数である、請求項３に記載の集積回路。
【請求項５】
前記周囲マイクロフォン信号が周囲閾値を超える周囲マグニチュードを有する場合、前記第１の閾値および前記第２の閾値は、前記周囲閾値を超える前記周囲マグニチュードの増加量に基づいて増加する、請求項４に記載の集積回路。
【請求項６】
前記第１の閾値および前記第２の閾値は、前記周囲閾値を超える前記周囲マグニチュードの所与の増加量に対してほぼ等しい量で増加する、請求項５に記載の集積回路。
【請求項７】
前記周囲マイクロフォン信号に機械的雑音が存在する場合、前記圧縮器は利得減衰のための前記少なくとも１つの閾値の更新を中止する、請求項３に記載の集積回路。
【請求項８】
前記処理回路は、前記周囲マイクロフォン信号から前記対雑音信号の少なくとも一部を生成するフィードフォワード応答を有するフィードフォワードフィルタをさらに実装する、請求項１に記載の集積回路。
【請求項９】
前記処理回路は、前記フィードフォワードフィルタの前記フィードフォワード応答を、前記エラーマイクロフォン信号内の前記周囲オーディオ音を最小限にするように適合させることによって、前記フィードフォワードフィルタの前記フィードフォワード応答を形成するフィードフォワード係数制御ブロックをさらに実装する、請求項８に記載の集積回路。
【請求項１０】
前記処理回路は、
前記ソースオーディオ信号の電気音響経路をモデル化するように構成され、前記ソースオーディオ信号から二次経路推定を生成する二次応答を有する二次経路推定フィルタと、
前記二次経路推定フィルタの前記二次応答を適応させることにより、前記ソースオーディオ信号および再生補正されたエラーに応じた前記二次経路推定フィルタの前記二次応答を形成して、再生補正されたエラーを最小化する二次経路推定係数制御ブロックであって、再生補正されたエラーは、前記エラーマイクロフォン信号と前記二次経路推定との間の差に基づく、二次経路推定係数制御ブロックと
をさらに実装する、請求項１に記載の集積回路。
【請求項１１】
変換器の近傍の周囲オーディオ音を除去する方法であって、
前記周囲オーディオ音を示す周囲マイクロフォン信号を受信し、
前記変換器の前記出力と前記変換器における周囲オーディオ音を示すエラーマイクロフォン信号を受信し、
前記変換器の音響出力での周囲オーディオ音の前記影響に対抗するための対雑音信号を生成し、ここで前記対雑音信号を生成することは、圧縮機を有するフィードバック経路で、前記エラーマイクロフォン信号からフィードバック対雑音信号を生成することを含み、前記圧縮機は、フィードバックフィルタと直列の圧縮機応答を含み、前記フィードバックフィルタは、フィルタ応答を含み、前記フィードバック経路は、前記圧縮機応答と前記フィルタ応答との積となるフィードバック応答を含み、ここで前記圧縮機応答は、前記周囲マイクロフォン信号の関数であり、前記対雑音信号は少なくとも前記フィードバック対雑音信号を含み、
前記対雑音信号をソースオーディオ信号と組み合わせて前記変換器に供給されるオーディオ信号を生成すること
を含む、方法。
【請求項１２】
フィードバック対雑音信号を生成することは、
前記フィルタ応答を有する前記フィードバックフィルタによって、前記エラーマイクロフォン信号から非圧縮フィードバック対雑音信号を生成し、
前記圧縮器応答を有する前記圧縮器によって、前記非圧縮フィードバック対雑音信号からフィードバック対雑音信号を生成すること
を含む、請求項１１に記載の方法。
【請求項１３】
前記圧縮器応答は、前記周囲マイクロフォン信号の関数である利得減衰のための少なくとも１つの閾値を備える、請求項１２に記載の方法。
【請求項１４】
利得減衰のための前記少なくとも１つの閾値は、第１の利得減衰が適用される非圧縮フィードバック対雑音信号の第１の閾値マグニチュードと、第２の利得減衰が適用される前記非圧縮フィードバック対雑音信号の第２の閾値マグニチュードとを含み、前記第１の閾値および前記第２の閾値は前記周囲マイクロフォン信号の関数である、請求項１３に記載の方法。
【請求項１５】
前記周囲マイクロフォン信号が周囲閾値を超える周囲マグニチュードを有する場合、前記第１の閾値および前記第２の閾値は、前記周囲閾値を超える前記周囲マグニチュードの増加量に基づいて増加する、請求項１４に記載の方法。
【請求項１６】
前記第１の閾値および前記第２の閾値は、前記周囲閾値を超える前記周囲マグニチュードの所与の増加量に対してほぼ等しい量で増加する、請求項１５に記載の方法。
【請求項１７】
前記周囲マイクロフォン信号に機械的雑音が存在する場合、利得減衰のための少なくとも１つの閾値の更新を中止することをさらに含む、請求項１３に記載の方法。
【請求項１８】
フィードフォワード応答を有するフィードフォワードフィルタで前記周囲マイクロフォン信号から前記対雑音信号の少なくとも一部を生成することさらに含む、請求項１１に記載の方法。
【請求項１９】
前記フィードフォワードフィルタの前記フィードフォワード応答を、前記エラーマイクロフォン信号内の前記周囲オーディオ音を最小限にするように適合させることによって、前記フィードフォワードフィルタの前記フィードフォワード応答を形成することをさらに含む、請求項１８に記載の方法。
【請求項２０】
前記ソースオーディオ信号の電気音響経路をモデル化する二次経路推定フィルタで前記ソースオーディオ信号をフィルタリングすることによって、前記ソースオーディオ信号から二次経路推定値を生成し、
再生補正されたエラーを最小化するように、二次経路推定フィルタを適応させ、前記再生補正されたエラーは、前記エラーマイクロフォン信号と前記二次経路推定との間の差に基づいていること
をさらに含む、請求項１１に記載の方法。